(57)【要約】      （修正有）【課題】商品の色彩が如何なるものであるかを見ることができる、オンラインによる商品の色彩情報の伝達システムを提供する。【解決手段】商品の分野を区分する分野区分（分野別）デ−タベ−ス１００と商品の供給先を区分する供給先区分（メーカー名）デ−タベ−ス１０１と当該分野及び供給先に応じた商品の色彩情報のデ−タベ−ス１０２と前記商品の分野区分を表示させる表示手段と当該表示された分野区分から希望の分野を選択させる手段と前記商品の供給先区分を表示させる表示手段と当該表示された供給先区分から希望の供給先を選択させる手段と当該選択された分野及び供給先に応じて前記の商品の色彩情報のデ−タベ−スから当該色彩を選択する手段と当該選択された色彩情報を携帯端末に送信する手段とを備えてなるオンラインによる商品の色彩情報の伝達システム。【選択図】図１
2007102456.tif 000002
【特許請求の範囲】
【請求項１】
商品の分野を区分する分野区分デ−タベ−スと、当該商品の供給先を区分する供給先区分デ−タベ−スと、当該分野及び供給先に応じた商品の色彩情報のデ−タベ−スと、前記商品の分野区分を表示させる表示手段と、当該表示された分野区分から希望の分野を選択させる手段と、前記商品の供給先区分を表示させる表示手段と、当該表示された供給先区分から希望の供給先を選択させる手段と、当該選択された分野及び供給先に応じて前記の商品の色彩情報のデ−タベ−スから当該色彩を選択する手段と、当該選択された色紙情報を携帯端末に送信する手段とを備えてなることを特徴とするオンラインによる商品の色彩情報の伝達システム。
【請求項２】
色彩情報が、自動車のカラ−トリム情報を含有してなることを特徴とする、請求項１に記載のオンラインによる商品の色彩情報の伝達システム。
【請求項３】
色彩情報が、色名、マンセル表示、ＪＩＳ表示及び（又は）ＰＣＣＳ表示に基づいてなることを特徴とする、請求項１又は２に記載のオンラインによる商品の色彩情報の伝達システム。
【発明の詳細な説明】
【技術分野】
【０００１】
本発明は、オンラインによる商品の色彩情報の伝達システムに関し、特に、自動車や家電などにおける商品のメ−カ−におけるその商品の色彩が如何なるものであるかをオンラインで携帯電話機に送信可能なシステムに関するものである。
【背景技術】
【０００２】
日常生活において、色彩（色）は重要で、色をコ−ディネ−トする専門職が注目され、色彩の配色の如何は日常生活に多大の影響を与え、又、都市空間の景観の良さ等を左右する。
色彩に関し、色の分類、色の三属性、配色、色の暖寒、軽重等の色の基礎知識に関する情報を伝達する色彩関係のオンラインのサイトは、多数見られるが、自動車や家電などにおける商品のメ−カ−におけるその商品の色彩が如何なるものであるかを見るには、その都度、そのメ−カ−にアクセスし多数有る商品群の中から商品を選択し、又、その商品について記載された多数の商品価格などの仕様の中から関係した色彩の項目を見い出すことが必要で、時間を要するし、他社メ−カ−の同様の商品がどのような色彩を持ったものかを知り比較対照したいときには、更に、当該他社メ−カ−にアクセスし多数有る商品群の中から商品を選択し、又、その商品について記載された多数の仕様の中から色彩の項目を見い出すことが必要で非常に手間が掛かるという問題がある。
【発明の開示】
【発明が解決しようとする課題】
【０００３】
本発明は、上記のような従来技術に鑑み、新規な情報通信技術を利用した色彩情報の伝達システムを提供することを目的としたものである。
本発明の他の目的および新規な特徴は以下の明細書及び図面の記載からも明らかになるであろう。
【課題を解決するための手段】
【０００４】
本発明の特許請求の範囲は、次の通りである。
（請求項１）  商品の分野を区分する分野区分デ−タベ−スと、当該商品の供給先を区分する供給先区分デ−タベ−スと、当該分野及び供給先に応じた商品の色彩情報のデ−タベ−スと、前記商品の分野区分を表示させる表示手段と、当該表示された分野区分から希望の分野を選択させる手段と、前記商品の供給先区分を表示させる表示手段と、当該表示された供給先区分から希望の供給先を選択させる手段と、当該選択された分野及び供給先に応じて前記の商品の色彩情報のデ−タベ−スから当該色彩を選択する手段と、当該選択された色紙情報を携帯端末に送信する手段とを備えてなることを特徴とするオンラインによる商品の色彩情報の伝達システム。
（請求項２）  色彩情報が、自動車のカラ−トリム情報を含有してなることを特徴とする、請求項１に記載のオンラインによる商品の色彩情報の伝達システム。
（請求項３）  色彩情報が、色名、マンセル表示、ＪＩＳ表示及び（又は）ＰＣＣＳ表示に基づいてなることを特徴とする、請求項１又は２に記載のオンラインによる商品の色彩情報の伝達システム。
【発明の効果】
【０００５】
本願において開示される発明のうち代表的なものによって得られる効果を簡単に説明すれば、下記のとおりである。
すなわち、本発明によれば、色彩情報に特化した伝達（伝送）システムを構築でき、総合的な各種分野から自分が希望する分野を選択でき、又、各種あるメ−カ−から自分が知りたいメ−カ−を選択でき、その商品の色彩はこういうものかという色紙情報が自己の携帯端末に送信されてくるので、容易にその商品の色を知り得、例えば、自動車の板金加工で有利に作業を進めることが出来たり、自動車の販売に際しても、店頭にて実際に商品が無くしかも色彩見本やカタログが無いような場合でも、こういう色ですということが簡単に実際の色の近いカラ−で客に示すことが出来、カラ−コ−ディネ−タがインテリアや家具の配置をする時にどのメ−カ−の商品はどのような色で有るかを容易に知れるので、カラ−コ−ディネ−タにとっていちいちメ−カ−に問い合わせたりカタログを取り寄せたりする手間を省略することができるし、メ−カ−毎の色彩に関しその特色を容易に把握し且つ対比させて家具の配置デザインに役立たせることができる等の利点を奏することができる。
【０００６】
次に、本発明の実施例を図面を参照しつつ説明する。
【実施例】
【０００７】
図１に示すように、色彩情報提供（伝達）サイト１と色彩情報知得希望者２との間は、通信網３により接続されている。当該通信網３は、インターネット網などが使用できる。
【０００８】
色彩情報提供サイト１のサ−バ１０１は、複数の色彩情報知得希望者２との複数同時接続が可能な複数同時接続サーバにより構成されている。
色彩情報提供サイト１は、商品の分野を区分する分野区分デ−タベ−ス（分野別デ−タベ−ス）１００と、当該商品の供給先を区分する供給先区分デ−タベ−ス（メ−カ−名デ−タベ−ス）１０１と、当該分野及び供給先に応じた商品の色彩情報のデ−タベ−ス１０２とを有する。
商品の分野を区分する分野区分デ−タベ−ス１００は、例えば、自動車、家電、家具、インタリア等からなる。１つの分野に留まらず、総合的に分野を網羅することにより、全ゆる分野について特化した色彩情報サイトを構築できる。出来るだけ多数の分野を記憶（記録）させてデ−タベ−スを構築する。
当該商品の供給先を区分する供給先区分デ−タベ−ス１０１は、当該分野に応じた供給先（メ−カ−）で、分野ごとに出来るだけ多数のメ−カ−を記憶（記録）しておく。
当該色彩情報のデ−タベ−ス１０２は、当該分野及び供給先に応じたもので、例えば、図示例では、自動車についての色彩情報のデ−タベ−スが構築されている例を示す。
当該デ−タベ−スの構築例は、自動車についてのコ−ションプレ−ト１０２０を基準としている。
当該コ−ションプレ−ト１０２０は、例えば、自動車のフロントドアを開けるとラベルとして貼られているもので、そのメ−カ−、型式、車体番号、エンジン名、オプションコードなどが記載（表示）されており、特に、当該自動車の色彩については、カラーコード（塗色番号）として記載されている。当該カラーコードは、例えば、カラートリムとして記載され、カラーの外装色とトリムの内装色とから構成され、例えば、外装色コードがＫＨ２と記載されていれば、それは、その自動車がチャコールグレーパール色の車体であることを示している。
当該カラーコードはメ−カ−毎に異なるし、車種毎にも異なるので、図示のように、例えば、当該自動車のカラ−トリム情報に基づく色彩情報のデ−タベ−ス１０２１を構築する。
当該色彩については、同じ例えば赤色といっても自動車のメ−カ−毎に異なるし、又、同じメ−カ−の赤色の自動車でも車種などにより異なる。
図７は家電の冷蔵庫で表示しているが、例えば、同じ赤色系でも、例えば、色名の赤（あか）も茜色（あかねいろ）も赤紫（あかむらさき）も鉛丹（えんたん）も同じように赤（赤色）である。
そこで、色表示のデ−タベ−ス１０２２を構築することが好ましく、前記のカラ−トリム情報に基づく色彩情報のデ−タベ−ス１０２１と相互に利用し合うようにするとよい。
当該色表示は、図示例のように、色名、表色系／マンセル、表色系／ＪＩＳ、表色系／ＰＣＣＳにより構成される。
色表示（色の伝達）における色名は、例えば、前記例のように、赤とか茜色のような色名にて表示（伝達）するもので、赤とか茜色とか言えば人は色感として赤は赤色を色感し、又、茜色を茜色を色感する（人間の目は、１０万色以上の識別能力を有すると称されている。）ので、それらの相違を伝達できる。
表色系／マンセルは、色の三属性即ち色相（Ｒ）、明度（Ｇ）及び彩度（Ｂ）によって色を表示するもので、図７に示すように、Ｄｅｃ．（１０進法）による表示方法とＨｅｘ．（１６進法）による表示方法とがある。
表色系／ＪＩＳは、ＪＩＳ  Ｚ  ８１２０の「物体の色名」に基づき、基本色名を分類したもので、基本的な色味の区別を表すための専門用語である。
表色系／ＰＣＣＳにおけるＰＣＣＳは、日本色研配色体系（Ｐｒａｃｔｉｃａｌ  Ｃｏｌｏｒ  Ｃｏ−ｏｒｄｉｎａｔｅ  Ｓｙｓｔｅｍ）の略で、色彩調和を主な目的とした表色システムである。
【０００９】
図１に示すように、色彩情報提供（伝達）サイト１と色彩情報知得希望者２との間は、オンライン（通信網）３により接続され、携帯端末を持つ色彩情報知得希望者２は、当該色彩情報提供（伝達）サイト１に、電話して、自分の希望する分野及びメ−カ−の色彩情報を引き出すことができる。
当該色彩情報知得希望者２の携帯端末は、ＰＤＦのような携帯端末でもよいが、携帯電話機が好ましい。携帯電話機からその通信網による携帯電話を掛けて、携帯電話機の表示画面に色彩情報を当該サイトから送信を受けて表示するようにすればよい。
当該色彩情報は、その携帯電話機の表示画面に、例えば、Ｄｅｃ．（１０進法）によるＲ値が２０４で、Ｇ値が０で、Ｂ値が０の色名が赤の色を表示する。
当該単色を画面に表示するが、その際に、色名やＲＧＢ値やメ−カ−名などを付記しても差し支えない。
又、必要に応じて、色彩を、例えば、該当する自動車の外観と共に、表示させるようにしてもよい。
【００１０】
次に、図２に基づき本発明のフローの一例を説明する。
携帯電話機を持つ色彩情報知得希望者２は、色彩情報提供（伝達）サイト１に、携帯電話機から電話して接続する。
当該色彩情報提供（伝達）サイト１は、コンピュ−タ処理により、分野別入力画面を出力表示する（Ｓ２０１）。
色彩情報知得希望者２は、分野（情報）を入力する（Ｓ２０２）。
当該色彩情報提供（伝達）サイト１は、メ−カ−名入力画面を出力表示する（Ｓ２０３）。
色彩情報知得希望者２は、メ−カ−名（情報）を入力する（Ｓ２０４）。
当該色彩情報提供（伝達）サイト１は、カラーコード入力画面を出力表示する（Ｓ２０５）。
色彩情報知得希望者２は、カラーコードを入力する（Ｓ２０６）。
当該色彩情報提供（伝達）サイト１は、トリムコードを入力するか否かを出力する（Ｓ２０７）。
当該色彩情報提供（伝達）サイト１は、色彩情報知得希望者２がトリムコードを入力するとの意思表示があった時には、トリムコードの入力画面を表示し（Ｓ２０８）、色彩情報知得希望者２に、トリムコードを入力させる（Ｓ２０９）。
当該色彩情報提供（伝達）サイト１は、コンピュータ処理により、当該色彩情報知得希望者２が選択した分野、メ−カ−名及びカラーコードに応じて、色彩情報知得希望者２に
色彩情報を出力（送信）する（Ｓ２１０）。
【００１１】
図３（Ａ）に例を示すように、色彩情報提供（伝達）サイト１は、分野別入力画面を表示して、羅列された車両、家電、家具、インテリア、ＯＡ機器などの複数分野から、図３（Ｂ）に例を示すように、色彩情報知得希望者２に、希望分野を選択させる。
図３（Ｃ）に例を示すように、色彩情報提供（伝達）サイト１は、メ−カ−別入力画面を表示して、羅列された複数メ−カ−名から色彩情報知得希望者２に希望メ−カ−名を選択させる。
図３（Ｄ）に例を示すように、色彩情報提供（伝達）サイト１は、カラーコード別入力画面を表示して、羅列された複数カラーコード（外装色コード）から色彩情報知得希望者２に希望カラーコードを選択させる。図３（Ｅ）に例を示すように、色彩情報知得希望者２の保持している携帯電話機の文字盤から数字や英字などを入力させるようにしてもよい。
トリムコードの入力が選択された時には、図３（Ｆ）に例を示すようなトリムコードの入力画面を表示し、色彩情報知得希望者２に、トリムコード（内装色コード）を選択させる。
この場合、カラーコード（外装色コード）と同様に、色彩情報知得希望者２の保持している携帯電話機の文字盤から数字や英字などを入力させるようにしてもよく、分野別入力やメ−カ−別入力等でも、同様に色彩情報知得希望者２の保持している携帯電話機の文字盤から数字や英字などを入力させるようにしてもよい。
【００１２】
図４は、本発明の別の実施例を示す。当該実施例では、図３（Ａ）、（Ｂ）及び（Ｃ）と同様に、色彩情報提供（伝達）サイト１は、図４（Ａ）に示すように、分野別入力画面を表示して、羅列された車両、家電、家具、インテリア、ＯＡ機器などの複数分野から、図４（Ｂ）に例を示すように、色彩情報知得希望者２に、希望分野を選択させ、図４（Ｃ）に例を示すように、色彩情報提供（伝達）サイト１は、メ−カ−別入力画面を表示して、羅列された複数メ−カ−名から色彩情報知得希望者２に希望メ−カ−名を選択させる点では共通するが、当該実施例では、次いで、選択された分野の例えば図示例の車両では、更に、当該車両の分野を細分化した乗用車、バス、大型車、バイクなどについて選択させる画面を出力し、選択させ、当該細分化された分野についての色彩を出力表示し、当該各種色彩の中から色彩情報知得希望者２にその希望色彩を選択させる。
例えば、乗用車が前記で選択された時には、前記のコミッションプレートから型式などを入力・選択させて、更に、例えば、赤というような色を選択させる。
色彩情報提供（伝達）サイト１は、例えば、Ａメ−カ−の乗用車の赤色の車の色彩を順次出力して、色彩情報知得希望者２の保持している携帯電話機に送信してもよいし、型式などで特に特定した場合には、その特定された例えば赤色の車の色彩を色彩情報知得希望者２の保持している携帯電話機に送信してもよい。
【００１３】
前記は、車両についての実施例を示したが、本発明は、他の分野についても適用され、図５に例を示すように、例えば他の分野として家電分野にも適用される。
図５（Ａ）に例を示すように、色彩情報提供（伝達）サイト１は、分野別入力画面を表示して、羅列された車両、家電、家具、インテリア、ＯＡ機器などの複数分野から、図５（Ｂ）に例を示すように、色彩情報知得希望者２に、希望分野としての家電を選択させることができる。
図５（Ｃ）に例を示すように、色彩情報提供（伝達）サイト１は、家電分野を更に細分化した冷蔵庫などの選択画面を出力し、色彩情報知得希望者２に、希望分野としての家電を更に細分化した冷蔵庫などの選択をさせることができる。
図５（Ｄ）に例を示すように、色彩情報提供（伝達）サイト１は、メ−カ−別入力画面を表示して、羅列された複数メ−カ−名から色彩情報知得希望者２に希望メ−カ−名を選択させる。
図５（Ｅ）及び（Ｆ）に例を示すように、色彩情報提供（伝達）サイト１は、当該細分化された例えば冷蔵庫分野についてのメ−カ−の色彩を出力し、当該色彩から色彩情報知得希望者２に例えば赤というような当該色彩を選択させる。
色彩情報提供（伝達）サイト１は、例えば、Ａメ−カ−の冷蔵庫の赤色の冷蔵庫の色彩を順次出力して、色彩情報知得希望者２の保持している携帯電話機に送信してもよいし、冷蔵庫の有する型式などで特に特定した場合には、その特定された赤色の冷蔵庫の色彩を色彩情報知得希望者２の保持している携帯電話機に送信してもよい。
【００１４】
図６は、家具についての実施例を示す。
図６に示すように、色彩情報提供（伝達）サイト１は、同図に示すように、分野別入力画面を表示して、羅列された車両、家電、家具、インテリア、ＯＡ機器などの複数分野から、色彩情報知得希望者２に、希望分野の家具を選択させ、更に、細分化した家具の例えば椅子などの選択画面を出力し、羅列された椅子、テーブルなどの複数分野から、色彩情報知得希望者２に、希望分野の細分化された家具を選択させ、色彩情報提供（伝達）サイト１は、メ−カ−別入力画面を表示して、羅列された複数メ−カ−名から色彩情報知得希望者２に希望メ−カ−名を選択させ、前記の冷蔵庫の場合と同様に色彩画面を出力し、当該色彩を選択させ、特定された家具メーカーの例えば椅子についての例えば赤色のものを要すればＲＧＢ値と共に、色彩情報知得希望者２の保持している携帯電話機に送信する。
カラーデータベースの色名による分類データや表色系による分類データ（マンセル票記
、ＪＩＳ表記、ＰＣＣＳ表記）選択入力画面を表示し、入力させてもよい。
この場合、ＲＧＢ値やＰＣＣＳ表記などを入力させて、選択したメーカーにそのＲＧＢ値などに該当する色があるか否かを色彩情報知得希望者２の保持している携帯電話機に送信するようにしてもよい。
上記のように、色彩情報知得希望者２は、総合的な各種分野から自分が希望する分野を選択でき、又、各種あるメ−カ−から自分が知りたいメ−カ−を選択でき、その商品の色彩はこういうものかという色紙情報が自己の携帯端末に送信されてくるので、容易にその商品の色を知り得、例えば、自動車の板金加工で有利に作業を進めることが出来たり、自動車の販売に際しても、店頭にて実際に商品が無くしかも色彩見本やカタログが無いような場合でも、こういう色ですということが簡単に実際の色の近いカラ−で客に示すことが出来、カラ−コ−ディネ−タがインテリアや家具の配置をする時にどのメ−カ−の商品はどのような色で有るかを容易に知れるので、カラ−コ−ディネ−タにとっていちいちメ−カ−に問い合わせたりカタログを取り寄せたりする手間を省略することができるし、メ−カ−毎の色彩に関しその特色を容易に把握し且つ対比させて家具の配置デザインに役立たせることができる等の利点を奏することができる。
【００１５】
本発明は上記実施例に限定されず、適宜変更が可能である。
例えば、分野の選択とメーカーの選択の順序を逆にしてもよい。この場合、例えば、分野として自動車を出力・表示・選択させ、複数のメーカーを選択させ、当該複数のメーカーの例えば同じ赤色の自動車でも色の明るさ、寒暖、軽重等の対比を色彩情報知得希望者２の携帯電話機に出力表示させるようにしてもよい。その他適宜変更が可能である。
【産業上の利用可能性】
【００１６】
本発明のシステムは、各種の場合に適用できる。
【図面の簡単な説明】
【００１７】
【図１】本発明の実施例を示す系統図である。
【図２】本発明の実施例を示すフローチャート図である。
【図３】本発明の実施例を示す画面の構成図である。
【図４】本発明の他の実施例を示す画面の構成図である。
【図５】本発明の更に他の実施例を示す画面の構成図である。
【図６】本発明の更に又他の実施例を示す画面の構成図である。
【図７】本発明に使用される色彩の分類の一例説明図である。
【符号の説明】
【００１８】
１…色彩情報提供（伝達）サイト
２…色彩情報知得希望者
３…通信網
１００…分野区分デ−タベ−ス
１０１…供給先区分デ−タベ−ス
１０２…商品の色彩情報のデ−タベ−ス
【図１】
2007102456.tif 000003
【図２】
2007102456.tif 000004
【図３】
2007102456.tif 000005
【図４】
2007102456.tif 000006
【図５】
2007102456.tif 000007
【図６】
2007102456.tif 000008
【図７】
2007102456.tif 000009